(57)【要約】【課題】効果的なプレゼンテーションの実現を支援することができる端末装置を提供する。【解決手段】端末装置は、ディスプレイにプレゼンテーション用のコンテンツを表示するする（Ｓ１０１）。質問等のテキスト情報の入力と、質問に関連付けるコンテンツにおける箇所の指定とを受け付けると（Ｓ１０３）、端末装置は、コンテンツに含まれるテキストと質問に含まれるテキストとを比較することで、入力された質問に関連したコンテンツの箇所を検索する（Ｓ１０５）。端末装置は、質問を指定された箇所に表示する処理（Ｓ１０７〜Ｓ１１３）を実行する。このとき、端末装置は、質問を、指定された箇所と検索された関連箇所とが一致する場合と異なる場合とで区別して表示する。【選択図】図７
2015141497.tif 000002
【特許請求の範囲】
【請求項１】
ディスプレイを有する端末装置であって、
前記ディスプレイにコンテンツを表示するための第１の表示処理手段と、
テキスト情報の入力と、入力テキストに関連付ける前記コンテンツにおける箇所の指定とを受け付けるための入力手段と、
前記入力テキストに応じた画像を、前記第１の表示処理手段で表示されている前記コンテンツ上の前記入力手段での指定箇所に表示するための第２の表示処理手段と、
前記コンテンツに含まれるテキストと前記入力テキストとを比較することで、前記コンテンツの前記入力テキストに関連した箇所を検索するための検索手段とを備え、
前記第２の表示処理手段は、前記入力手段での指定箇所と前記検索手段で検索された関連箇所とが一致する場合と異なる場合とで、前記入力テキストに応じた画像を区別して表示する、端末装置。
【請求項２】
前記コンテンツのうちのユーザーの利用箇所を検出するための検出手段をさらに備え、
前記第２の表示処理手段は、前記入力手段での指定箇所と前記検索手段で検索された関連箇所とが異なる場合の前記入力テキストに応じた画像の表示を、さらに、前記ユーザーによってすでに利用されたか否かで区別して表示する、請求項１に記載の端末装置。
【請求項３】
前記コンテンツは複数領域に区分され、前記検索手段は、前記コンテンツの領域ごとにテキストを比較して前記入力テキストに関連した領域であるか否かを判断することによって、前記入力テキストに関連した領域を検索する、請求項１または２に記載の端末装置。
【請求項４】
前記第２の表示処理手段は、同一の指定箇所が関連付けられた複数の前記入力テキストに応じたそれぞれの画像を、前記指定箇所のそれぞれの前記関連箇所への関連度合いに応じて表示する、請求項１〜３のいずれかに記載の端末装置。
【請求項５】
前記第２の表示処理手段は、前記入力手段での指定箇所と前記検索手段で検索された関連箇所とが異なる場合、さらに、前記入力テキストに応じた画像を、前記コンテンツ上の前記関連箇所にも表示する、請求項１〜４のいずれかに記載の端末装置。
【請求項６】
前記入力手段で入力を受け付けた時点で前記関連箇所が前記ユーザーによってすでに利用された箇所である場合、前記第２の表示処理手段は、前記入力テキストに応じた画像を前記ユーザーによって未だ利用されていないことを表わすように表示する、請求項２に記載の端末装置。
【請求項７】
他の端末装置と通信するための通信手段をさらに備え、
前記入力手段は、前記通信手段を利用して前記他の端末装置から前記入力テキストと前記指定箇所との入力を受け付ける、請求項１〜６のいずれかに記載の端末装置。
【請求項８】
ディスプレイを有する端末装置での表示方法であって、
前記ディスプレイにコンテンツを表示するステップと、
テキスト情報の入力と、入力テキストに関連付ける前記コンテンツにおける箇所の指定とを受け付けるステップと、
前記コンテンツに含まれるテキストと前記入力テキストとを比較することで、前記コンテンツの前記入力テキストに関連した箇所を検索するステップと、
前記入力テキストに応じた画像を、前記ディスプレイに表示されている前記コンテンツ上の前記受け付けるステップで受け付けた指定箇所に表示するステップとを備え、
前記入力テキストに応じた画像を表示するステップでは、前記指定箇所と前記検索するステップで検索された関連箇所とが一致する場合と異なる場合とで、前記入力テキストに応じた画像を区別して表示する、表示方法。
【請求項９】
ディスプレイを有するコンピューターに表示処理を実行させるプログラムであって、
前記ディスプレイにコンテンツを表示するステップと、
テキスト情報の入力と、入力テキストに関連付ける前記コンテンツにおける箇所の指定とを受け付けるステップと、
前記コンテンツに含まれるテキストと前記入力テキストとを比較することで、前記コンテンツの前記入力テキストに関連した箇所を検索するステップと、
前記入力テキストに応じた画像を、前記ディスプレイに表示されている前記コンテンツ上の前記受け付けるステップで受け付けた指定箇所に表示するステップとを前記コンピューターに実行させ、
前記入力テキストに応じた画像を表示するステップでは、前記指定箇所と前記検索するステップで検索された関連箇所とが一致する場合と異なる場合とで、前記入力テキストに応じた画像を区別して表示する、表示プログラム。
【発明の詳細な説明】
【技術分野】
【０００１】
この発明は端末装置、表示方法、および表示プログラムに関し、特に、会議等のコンテンツの表示を伴うプレゼンテーションの支援に利用可能な端末装置、表示方法、および表示プログラムに関する。
【背景技術】
【０００２】
会議や授業などのプレゼンテーションを支援するため、ホワイトボード状やタブレット状の端末装置を用いることがなされている。支援方法の一例として、参加者各自の携帯する端末装置に同期させて該プレゼンテーションに用いる資料を表示する方法が挙げられる。
【０００３】
会議や授業などのプレゼンテーションにおいては、資料の関連する箇所に関して質問が出る場合がある。このような質問に対応するシステムとして、たとえば特開２００９−１８７０９４号公報（以下、特許文献１）は、各端末装置でレビュワーであるユーザーから資料の各箇所に関連付けた質問の入力を受け付けて、プレゼンターに相当するユーザーの利用する端末装置に表示された資料の、対応する箇所にまとめて表示するシステムを開示している。
【先行技術文献】
【特許文献】
【０００４】
【特許文献１】特開２００９−１８７０９４号公報
【特許文献２】特開２００２−１２３６２３号公報
【特許文献３】特開２０１１−９０３５０号公報
【発明の概要】
【発明が解決しようとする課題】
【０００５】
しかしながら、ユーザーが入力情報（質問等）と関連付ける箇所として指定した資料上の箇所は必ずしも該入力情報に最も関連した箇所とは限らないこともある。すなわち、たとえば入力情報が質問であった場合、レビュワーであるユーザーが指定した資料上の箇所よりもより関連した箇所があり、プレゼンターは後者の箇所を表示しながら説明した方が該質問の説明がよりしやすい場合もある。
【０００６】
本発明はこのような問題に鑑みてなされたものであって、効果的なプレゼンテーションの実現を支援することができる端末装置、表示方法、および表示プログラムを提供することを目的としている。
【課題を解決するための手段】
【０００７】
上記目的を達成するために、本発明のある局面に従うと、端末装置はディスプレイを有する端末装置であって、ディスプレイにコンテンツを表示するための第１の表示処理手段と、テキスト情報の入力と、入力テキストに関連付けるコンテンツにおける箇所の指定とを受け付けるための入力手段と、入力テキストに応じた画像を、第１の表示処理手段で表示されているコンテンツ上の入力手段での指定箇所に表示するための第２の表示処理手段と、コンテンツに含まれるテキストと入力テキストとを比較することで、コンテンツの入力テキストに関連した箇所を検索するための検索手段とを備える。第２の表示処理手段は、入力手段での指定箇所と検索手段で検索された関連箇所とが一致する場合と異なる場合とで、入力テキストに応じた画像を区別して表示する。
【０００８】
好ましくは、端末装置はコンテンツのうちのユーザーの利用箇所を検出するための検出手段をさらに備え、第２の表示処理手段は、入力手段での指定箇所と検索手段で検索された関連箇所とが異なる場合の入力テキストに応じた画像の表示を、さらに、ユーザーによってすでに利用されたか否かで区別して表示する。
【０００９】
好ましくは、コンテンツは複数領域に区分され、検索手段は、コンテンツの領域ごとにテキストを比較して入力テキストに関連した領域であるか否かを判断することによって、入力テキストに関連した領域を検索する。
【００１０】
好ましくは、第２の表示処理手段は、同一の指定箇所が関連付けられた複数の入力テキストに応じたそれぞれの画像を、指定箇所のそれぞれの関連箇所への関連度合いに応じて表示する。
【００１１】
好ましくは、第２の表示処理手段は、入力手段での指定箇所と検索手段で検索された関連箇所とが異なる場合、さらに、入力テキストに応じた画像を、コンテンツ上の関連箇所にも表示する。
【００１２】
好ましくは、入力手段で入力を受け付けた時点で関連箇所がユーザーによってすでに利用された箇所である場合、第２の表示処理手段は、入力テキストに応じた画像をユーザーによって未だ利用されていないことを表わすように表示する。
【００１３】
好ましくは、端末装置は他の端末装置と通信するための通信手段をさらに備え、入力手段は、通信手段を利用して他の端末装置から入力テキストと指定箇所との入力を受け付ける。
【００１４】
本発明の他の局面に従うと、表示方法はディスプレイを有する端末装置での表示方法であって、ディスプレイにコンテンツを表示するステップと、テキスト情報の入力と、入力テキストに関連付けるコンテンツにおける箇所の指定とを受け付けるステップと、コンテンツに含まれるテキストと入力テキストとを比較することで、コンテンツの入力テキストに関連した箇所を検索するステップと、入力テキストに応じた画像を、ディスプレイに表示されているコンテンツ上の受け付けるステップで受け付けた指定箇所に表示するステップとを備え、入力テキストに応じた画像を表示するステップでは、指定箇所と検索するステップで検索された関連箇所とが一致する場合と異なる場合とで、入力テキストに応じた画像を区別して表示する。
【００１５】
本発明のさらに他の局面に従うと、表示プログラムはディスプレイを有するコンピューターに表示処理を実行させるプログラムであって、ディスプレイにコンテンツを表示するステップと、テキスト情報の入力と、入力テキストに関連付けるコンテンツにおける箇所の指定とを受け付けるステップと、コンテンツに含まれるテキストと入力テキストとを比較することで、コンテンツの入力テキストに関連した箇所を検索するステップと、入力テキストに応じた画像を、ディスプレイに表示されているコンテンツ上の受け付けるステップで受け付けた指定箇所に表示するステップとをコンピューターに実行させ、入力テキストに応じた画像を表示するステップでは、指定箇所と検索するステップで検索された関連箇所とが一致する場合と異なる場合とで、入力テキストに応じた画像を区別して表示する。
【発明の効果】
【００１６】
この発明によると、効果的なプレゼンテーションの実現を支援することができる。
【図面の簡単な説明】
【００１７】
【図１】実施の形態にかかるプレゼンテーション支援システム（以下、システムと略する）の構成の具体例を示す図である。
【図２】システムに含まれる端末装置の装置構成の具体例を示すブロック図である。
【図３】システムでの動作概要を表わした図である。
【図４】質問の表示方法の具体例を示す図である。
【図５】質問のステータスごとのマークを示した図である。
【図６】端末装置の機能構成の具体例を示すブロック図である。
【図７】端末装置での動作の流れの具体例を表わしたフローチャートである。
【発明を実施するための形態】
【００１８】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１９】
＜システム構成＞
図１は、本実施の形態にかかるプレゼンテーション支援システム（以下、システムと略する）の構成の具体例を示す図である。図１を参照して、本システムは、プレゼンターの用いる端末装置である端末装置（プレゼンター端末装置とも称する）１００Ａと、レビュワーの用いる端末装置である端末装置（レビュワー端末装置とも称する）１００Ｂ，１００Ｃ，１００Ｄとを含む。
【００２０】
図１では、プレゼンター端末装置１００Ａとレビュワー端末装置１００Ｂ，１００Ｃ，１００Ｄとは、たとえば大型のスクリーン装置とタブレット状の端末装置とのように、異なる装置である例が示されている。しかしながら、これら端末装置は、表示装置と入力装置とを有する装置であって、相互に通信可能であればどのような装置であってもよい。そのため、たとえばすべてタブレット状の端末装置や一般的なＰＣ（パーソナルコンピューター）であるように、すべて同じ装置であってもよい。そこで、以下の説明では、プレゼンター端末装置１００Ａおよびレビュワー端末装置１００Ｂ，１００Ｃ，１００Ｄを代表させて端末装置１００とも称する。
【００２１】
端末装置１００は相互に通信可能である。端末装置１００間の通信は、好ましくは無線通信である。しかしながら、端末装置１００間の通信は有線での通信であってもよい。また、この通信は、ＬＡＮ（Local  Area  Network）やインターネットなどの通信ネットワークを利用したものであってもよいし、赤外線通信など直接の通信であってもよい。
【００２２】
＜装置構成＞
図２は、端末装置１００の装置構成の具体例を示すブロック図である。上記のように、端末装置１００は少なくとも表示装置、入力装置、および通信装置を含む装置であればどのような装置であってもよい。そこで、図２では、表示装置および入力装置としてのタッチパネルを有する一般的なコンピューターの構成が示されている。そのため、端末装置１００の装置構成は、図２に示された構成のみに限定されるものではない。
【００２３】
詳しくは、図２を参照して、端末装置１００は、装置全体を制御するためのＣＰＵ（Central  Processing  Unit）１０と、ＣＰＵ１０で実行されるプログラムを記憶するためのメモリーであるＲＯＭ（Read  Only  Memory）１１と、ＣＰＵ１０でプログラムを実行する際の計算値を記憶したり作業領域となったりするメモリーであるＲＡＭ（Random  Access  Memory）１２と、各種データを記憶するための大型の記憶装置の一例としてのＨＤＤ（Hard  Disk  Drive）１３と、タッチパネル１４と、他の端末装置との間の通信のための通信インターフェース１５とを含む。
【００２４】
＜動作概要＞
本システムは、プレゼンテーションを支援するために用いられる。ここでのプレゼンテーションとは、１人または複数のプレゼンターが１人または複数のレビュワーに対して対象とする事象を資料に沿って説明する行為を指し、たとえば、会議や講義などが想定される。
【００２５】
本システムでは、各端末装置１００でプレゼンテーション用の資料であるコンテンツを表示する。このとき、好ましくは、各端末装置１００で同期してコンテンツを表示する。本システムにおいてコンテンツ表示を同期させる方法は特定の方法には限定されない。一例として、コンテンツ表示の同期は、プレゼンター端末装置１００Ａが表示情報を他のレビュワー端末装置１００Ｂ，１００Ｃ，１００Ｄに送信し、レビュワー端末装置１００Ｂ，１００Ｃ，１００Ｄがその情報に基づいて表示することで実現されてもよい。コンテンツ表示の同期の他の例として、コンテンツ自身に表示タイミングを表わす情報が付加されており、各各端末装置１００が当該情報に従って表示することでも実現される。コンテンツは、表示情報のみならず、音声が含まれていてもよい。そして、音声の出力も同期されてもよい。
【００２６】
図３は、本システムでの動作概要を表わした図である。図３では、レビュワー端末装置１００Ｂ，１００Ｃ，１００Ｄを代表させてレビュワー端末装置１００Ｂのみが挙げられているが、いずれのレビュワー端末装置であってもよい。
【００２７】
図３を参照して、各端末装置１００では、対象とするコンテンツが同期して表示されている（ステップＳ１）。各端末装置１００は、ユーザーからたとえば質問やコメントなどのテキスト情報を入力する操作を受け付けることが可能である。テキスト情報の入力は、テキスト情報本体の入力と、当該情報を対応付けるコンテンツ上の箇所の指定とを含む。レビュワー端末装置１００Ｂに対して上記操作がなされた場合、レビュワー端末装置１００Ｂは、ユーザー操作に従って、テキスト情報の一例である質問本体の入力と、当該情報を対応付けるコンテンツ上の箇所の指定とを受け付ける（ステップＳ２）。
【００２８】
本システムにおいて、レビュワー端末装置を用いて質問を入力する方法は特定の方法に限定されない。たとえば、端末装置１００のタッチパネル１４にコンテンツが表示されている状態においてタッチを受け付けると、端末装置１００は、当該位置に対応付ける質問の入力用のウィンドウを表示し、当該ウィンドウに対するタッチ操作に従う質問の入力を受け付ける。
【００２９】
端末装置１００は、最初のタッチ位置に表わされるコンテンツ上の箇所と入力された質問とを関連付ける。ユーザー操作に従って質問（テキスト情報）に関連付けるコンテンツの箇所を、以下の説明では指定箇所とも称する。タッチ入力された装置がレビュワー端末装置１００Ｂである場合には、質問と指定箇所とを関連付けて、プレゼンター端末装置１００Ａに送信する（ステップＳ３）。そして、プレゼンター端末装置１００Ａは、レビュワー端末装置１００Ｂから質問と指定箇所との入力を受け付ける。プレゼンター端末装置１００Ａが上記ユーザー操作を受け付けた場合には、該ユーザー操作によって質問と指定箇所との入力を受け付ける。
【００３０】
上記情報を受け付けたプレゼンター端末装置１００Ａは、コンテンツに含まれるテキストと受け付けた質問に含まれるテキストとを比較することで、質問に関連したコンテンツの箇所を検索する（ステップＳ４）。ステップＳ４では、プレゼンター端末装置１００Ａは、コンテンツの端末装置１００のタッチパネル１４に表示されている領域のみならず、コンテンツ全体にわたって関連する箇所を検索する。
【００３１】
ここでの検索方法はテキストを比較する方法であれば特定の方法に限定されない。たとえば、コンテンツがセクション単位など複数領域に区分されたものであった場合、プレゼンター端末装置１００Ａは、質問に含まれるテキストを検索キーとしてセクションごとに検索し、セクションごとに質問に関連したセクションであるか否かを判断する。そして、プレゼンター端末装置１００Ａは、当該検索キーの含まれる数が最も多いセクションを関連箇所とすることができる。他の例として、プレゼンター端末装置１００Ａは、当該検索キーの出現割合が最も多いセクション、質問に含まれるテキストをより多く含むセクション、などを関連箇所としてもよい。
【００３２】
プレゼンター端末装置１００Ａは、受け付けた質問に応じた画像を、指定箇所に表示する（ステップＳ５）。質問に応じた画像とは、質問であるテキストそのものであってもよいし、質問があったことを表わす特定のマークであってもよい。以下の説明では、質問そのものを表示するものとする。
【００３３】
さらに、ステップＳ５でプレゼンター端末装置１００Ａは、質問と共に受け付けた指定箇所と上記ステップＳ４で検索された関連箇所とが一致する場合と異なる場合とで質問を区別して表示する。好ましくは、上記ステップＳ５でプレゼンター端末装置１００Ａは、質問と共に受け付けた指定箇所と上記ステップＳ４で検索された関連箇所とが異なる場合、さらに、質問を関連箇所に表示する。
【００３４】
図４は、質問の表示方法の具体例を示す図であって、図４（Ａ）、図４（Ｂ）は同一コンテンツのそれぞれ異なる場所の表示例を表わしている。図４（Ａ）、図４（Ｂ）を参照して、プレゼンター端末装置１００Ａは、タッチパネル１４へのコンテンツの表示に重ねて、受け付けた質問の表示領域４１を設ける。一例として、プレゼンター端末装置１００Ａは、表示領域４１に質問に応じた画像として質問そのものと質問者とをテキストで表示する（Ｑ１〜Ｑ４）。このとき、一例としてプレゼンター端末装置１００Ａは、質問と共に受け付けた指定箇所と上記ステップＳ４で検索された関連箇所とが一致する場合と異なる場合とで異なるマークを付して表示する。すなわち、プレゼンター端末装置１００Ａは、図４（Ａ）に表わされたように、質問と共に受け付けた指定箇所と上記ステップＳ４で検索された関連箇所とが一致する質問はマーク４２なしで指定箇所に表示し、質問と共に受け付けた指定箇所と上記ステップＳ４で検索された関連箇所とが一致していない質問はマーク４２を付して表示する。
【００３５】
図５は、質問のステータスごとのマークを示した図である。プレゼンター端末装置１００Ａは、一例として図５のようなマークを予め記憶しておき、質問のステータスに応じて（後述するように）マークを付して表示する。図５の関係は、コンテンツと共にプレゼンター端末装置１００Ａのタッチパネル１４に表示されていてもよい。
【００３６】
図４（Ａ）の例では、表示されている質問Ｑ１〜Ｑ３のうち、質問Ｑ１および質問Ｑ２には（図５において指定箇所と関連箇所とが不一致であることを表わすマークと例示されている）マーク４２が付されていない。そのため、図４（Ａ）の表示からは、質問と共に受け付けた指定箇所と上記ステップＳ４で検索された関連箇所とが一致したものであること、つまり、これら質問Ｑ１および質問Ｑ２の表示されている箇所がこのコンテンツ中の当該質問の関連した箇所であることが分かる。
【００３７】
一方、図４（Ａ）の例において質問Ｑ３には（図５において指定箇所と関連箇所とが不一致であることを表わすマークと例示されている）マーク４２が付されている。そのため、図４（Ａ）の表示からは、質問と共に受け付けた指定箇所と上記ステップＳ４で検索された関連箇所とが一致していないこと、つまり、この質問Ｑ３の表示されている箇所よりもより関連した箇所がこのコンテンツ中にあることが分かる。
【００３８】
好ましくは、プレゼンター端末装置１００Ａは、同一の指定箇所が関連付けられた複数の質問を、指定箇所のそれぞれの関連箇所への関連度合いに応じて表示する。すなわち、プレゼンター端末装置１００Ａは、同一箇所を指定箇所とした質問それぞれについて、コンテンツの当該個所とそれぞれの関連箇所とを比較する。ここでの比較の方法は、関連箇所を検索する際の比較と同様であってよい。そして、プレゼンター端末装置１００Ａは、好ましくは、より関連している質問から順に表示する。そのため、図４（Ａ）の表示からは、質問Ｑ１〜Ｑ３がその順で、当該指定箇所がそれぞれの関連箇所に関連していることが分かる。
【００３９】
上記のように、好ましくはプレゼンター端末装置１００Ａは、質問と共に受け付けた指定箇所と上記ステップＳ４で検索された関連箇所とが異なる場合、さらに、質問を関連箇所に表示する。そのため、図４（Ａ）と同一のコンテンツの異なる領域が表示されている画面例である図４（Ｂ）において、図４（Ａ）にも表示されている質問Ｑ３が表示されている（質問Ｑ３’）。そのため、図４（Ｂ）の表示からは、他の箇所を指定して入力された質問であっても質問Ｑ３’の表示されている箇所がこのコンテンツ中の当該質問の関連した箇所であることが分かる。
【００４０】
このように表示されることで、プレゼンター端末装置１００Ａを見ながら説明するプレゼンターであるユーザーは、質問について説明する際に、より関連した箇所を示しながら説明することができる。これにより、本システムは効果的なプレゼンテーションの実現を支援することができる。
【００４１】
好ましくは、端末装置１００は、コンテンツのうちのプレゼンターであるユーザーが説明している箇所を検出する機能を有する。この機能は、本システムにおいて特定の機能に限定されない。たとえば、タッチパネル１４または図示しない指示装置によってプレゼンターであるユーザーから自身の説明に従ってコンテンツの表示する領域を指示する操作（スクロールやページ送り等）を受け付ける場合、端末装置１００は、表示を指示された領域をプレゼンターであるユーザーが説明している箇所と検出することができる。従って、この場合、上記の表示する領域を指示する操作を受け付ける機能がユーザーが説明している箇所を検出する機能に相当する。他の例として端末装置１００はマイク等の音声入力装置を有し、入力された音声を認識することでコンテンツ上の説明箇所を特定してもよい。音声に基づいて箇所を特定する方法は、上記の関連箇所を検索する方法と同様に、含まれるテキストの比較であってもよい。この場合、上記の音声認識機能および検索機能がユーザーが説明している箇所を検出する機能に相当する。
【００４２】
そして、好ましくは端末装置１００は、質問と共に受け付けた指定箇所と上記ステップＳ４で検索された関連箇所とが異なる場合の質問の表示を、さらに、プレゼンターであるユーザーによってすでに説明（利用）されたか否かで区別して表示する。一例としてプレゼンター端末装置１００Ａは、質問と共に受け付けた指定箇所と上記ステップＳ４で検索された関連箇所とが異なる場合の質問を、プレゼンターであるユーザーによってすでに説明（利用）されたか否かで異なるマークを付して表示する。すなわち、プレゼンター端末装置１００Ａは、図４（Ｂ）に表わされたように、質問と共に受け付けた指定箇所と上記ステップＳ４で検索された関連箇所とが異なる場合の質問を、プレゼンターであるユーザーによってすでに説明（利用）されたか否かで異なるマーク４３，４４を付して表示する。
【００４３】
図４（Ｂ）の例では、質問Ｑ３’には（図５において未説明であることを表わすマークと例示されている）マーク４３が付され、質問Ｑ４には（図５において説明済であることを表わすマークと例示されている）マーク４４が付されている。そのため、図４（Ｂ）の表示からは、さらに、質問Ｑ３’についてはまだ説明されておらず、質問Ｑ４についてはすでに説明が済んでいることが分かる。
【００４４】
なお、好ましくはプレゼンター端末装置１００Ａは、コンテンツの同一の箇所に関連付けて表示する複数の質問のうち、当該質問の説明が行なわれていないものほど先に表示する。そのため、図４（Ｂ）の表示からは、質問Ｑ３’、Ｑ４のうちの質問Ｑ３’の方が説明をすべきものであることが分かる。
【００４５】
また、好ましくはプレゼンター端末装置１００Ａは、質問および指定箇所の入力を受け付けた時点で、検索された関連箇所がプレゼンターであるユーザーによってすでに説明された箇所である場合、当該質問を説明が行なわれていないものとしてマーク４３を付して表示する。
【００４６】
上記のように、本システムでは、好ましくはプレゼンター端末装置１００Ａが、質問を、当該質問と共にユーザー操作によって受け付けた指定箇所に表示すると共に、関連箇所にも表示する。このときに、図４（Ａ）のように、指定箇所と関連箇所とが一致しているか否かが区別して表示されるために、プレゼンターであるユーザーは、コンテンツの表示された箇所を示しながら質問の説明を行なうか、（後に表示される）関連箇所で説明を行なうかを、表示を見ながら一目で判断することができる。
【００４７】
ただし、指定箇所と関連箇所とが一致していない場合には図４（Ａ）および図４（Ｂ）の例のように同じ質問（質問Ｑ３および質問Ｑ３’）が繰り返し表示されることになる。そのため、プレゼンターであるユーザーは、当該質問をすでに説明したか否か、プレゼンテーション中に不明となることもある。そのため、質問に対する説明が欠落する可能性もある。しかしながら、上記のように、指定箇所と関連箇所とが一致していない質問については、すでに説明しているか否かが区別して表示されるために、プレゼンターであるユーザーは、確実に説明することができる。
【００４８】
つまり、図４（Ａ）、図４（Ｂ）、および図５の例の場合、プレゼンターであるユーザーは、マークが付されていない質問については表示された箇所が関連箇所であるため、当該質問が表示されているタイミングで説明することで効果的な説明ができる。マーク４２が付されている質問については、表示された箇所が関連箇所ではないため、当該質問が表示されているタイミングよりも後に関連箇所が表示されたタイミングで説明することで効果的な説明ができる。マーク４３が付された質問については、表示された箇所が関連箇所であり、かつ、まだ説明が行なわれていない質問であるため、当該質問が表示されているタイミングで説明することで効果的な説明ができる。マーク４４が付された質問については、表示された箇所が関連箇所であるもののすでに説明が行なわれた説明であるため、当該質問が表示されているタイミングでの説明は必ずしも必要ではないと判断できる。
【００４９】
＜機能構成＞
図６は、上記動作を行なってプレゼンター端末装置１００Ａとして機能する端末装置１００の機能構成の具体例を示すブロック図である。図６の各機能は、端末装置１００のＣＰＵ１０がＲＯＭ１１に記憶されているプログラムをＲＡＭ１２上に読み出して実行することで、主にＣＰＵ１０で実現される。しかしながら、少なくとも一部機能が、図２に表わされた他の装置構成、または図示されていない電気回路などの他のハードウェアによって実現されてもよい。
【００５０】
図６を参照して、メモリーの一例としてのＨＤＤ１３は、コンテンツを記憶するための記憶領域であるコンテンツ記憶部１３１と、受け付けた質問それぞれついてすでに説明が行なわれたか否かのステータスを記憶するための領域であるステータス記憶部１３２とを含む。なお、コンテンツは、必ずしも端末装置１００に記憶されていなくてもよい。他の例として、通信インターフェース１５を介してアクセス可能なサーバーやいわゆるＭＦＰ（Multi-Functional  Peripheral）などの画像形成装置に搭載されたメモリーに記憶され、端末装置１００がユーザー指示に従ってこれら装置にアクセスし、必要なコンテンツを読み出すようにしてもよい。
【００５１】
さらに図６を参照して、ＣＰＵ１０は、メモリーまたは他の装置からコンテンツを読み出してタッチパネル１４に表示する、または他の端末装置１００と同期して表示する処理を行なうための第１表示処理部１０１と、通信インターフェース１５を介してレビュワー端末装置から、またはタッチパネル１４に対するユーザー指示に基づいてテキスト情報の一例である質問と指定箇所との入力を受け付けるための入力部１０２と、例えば質問そのものを表わす文字列などの入力されたテキスト情報に応じた画像を、表示されているコンテンツ上の指定箇所に表示するための第２表示処理部１０３と、コンテンツに含まれるテキストと質問に含まれるテキストとを比較することで関連した箇所を検索するための検索部１０４とを含む。
【００５２】
一例として、コンテンツがセクションなどの複数領域に区分されたものである場合、検索部１０４は、セクションごとにテキストを質問に含まれるテキストと比較して質問に関連した領域であるか否かを判断することによって関連箇所として関連したセクションを検索する。
【００５３】
好ましくは、第２表示処理部１０３は、指定箇所と関連箇所とを比較するための比較部１０５と、予め図５のようなマークを記憶しておき、比較部での比較結果に応じて質問に付加するマークを特定するためのマーク特定部１０６とを含んで、指定箇所と関連箇所とが一致する場合と異なる場合とで質問（または質問を表わす画像）を区別して表示する。
【００５４】
好ましくは、第２表示処理部１０３は、指定箇所と関連箇所とが異なる質問を関連箇所にも表示する。
【００５５】
好ましくは、第２表示処理部１０３は、同一の指定箇所が複数の質問が関連付けられている場合に、各質問を指定箇所のそれぞれの関連箇所への関連度合いに応じて表示する。一例として、関連箇所に関連している質問ほど優先順位を高くして（上位に）表示する。
【００５６】
好ましくはＣＰＵ１０は、さらに、コンテンツのうちのユーザーの利用箇所、つまり説明している箇所を検出するための検出部１０７をさらに含む。第２表示処理部１０３は、指定箇所と関連箇所とが異なる場合の質問の表示を、さらに、すでに説明されたか否かで区別して表示する。より好ましくは、第２表示処理部１０３は、コンテンツの同一の箇所に複数の質問を表示する場合に、説明がまだなされていない質問ほど優先順位を高くして（上位に）表示する。また、好ましくは第２表示処理部１０３は、入力部１０２が質問および指定箇所の入力を受け付けた時点で関連箇所がすでに説明された箇所である場合、当該質問をユーザーによって未だ利用されていないことを表わすように表示する。
【００５７】
＜動作フロー＞
図７は、端末装置１００での動作の流れの具体例を表わしたフローチャートである。図７のフローチャートに表わされた動作は、端末装置１００のＣＰＵ１０がＲＯＭ１１に記憶されているプログラムをＲＡＭ１２上に読み出して実行し、図６の各機能を発揮することによって実現される。
【００５８】
図７を参照して、ＣＰＵ１０は、プレゼンテーション用の資料として指定されたコンテンツをタッチパネル１４に表示する処理を実行する（ステップＳ１０１）。このとき、ＣＰＵ１０は、端末装置１００がプレゼンター端末装置１００Ａである場合には、レビュワー端末装置１００Ｂ，１００Ｃ，１００Ｄの表示を同期するための処理を行なってもよい。
【００５９】
ＣＰＵ１０は、レビュワー端末装置１００Ｂ，１００Ｃ，１００Ｄまたは自身のタッチパネル１４から質問および指定箇所の入力を受け付けると（ステップＳ１０３でＹＥＳ）、表示しているコンテンツ中の当該質問に関連する箇所（たとえばセクション）を関連箇所として検索する（ステップＳ１０５）。
【００６０】
その後、ＣＰＵ１０は、入力された質問をコンテンツの該当する箇所に表示する処理（ステップＳ１０７〜Ｓ１１３）を実行する。詳しくは、ＣＰＵ１０は、検索された関連箇所と入力された指定箇所とが一致するかを判断する（ステップＳ１０７）。指定箇所と関連箇所とが一致していない場合（ステップＳ１０７でＮＯ）、ＣＰＵ１０は、当該質問に、関連箇所と一致していないことを表わすマークを付して、指定箇所および関連箇所に表示する（ステップＳ１０９）。好ましくは、ステップＳ１０９でＣＰＵ１０は、当該質問に、まだ説明が行なわれていないことを表わすマークを付してタッチパネル１４に表示する。
【００６１】
その後、ＣＵＵ１０は、当該質問についての説明が行なわれたことを検出すると（ステップＳ１１１でＹＥＳ）、上記ステップＳ１０９で当該質問に付してタッチパネル１４に表示したまだ説明が行なわれていないことを表わすマークを、すでに説明が行なわれたことを表わすマークに更新する（ステップＳ１１３）。
【００６２】
なお、上記ステップＳ１０７で指定箇所と関連箇所とが一致すると判断した場合（ステップＳ１０７でＹＥＳ）、ＣＰＵ１０は、当該質問を指定箇所にマークを付さずに表示する（ステップＳ１１５）。
【００６３】
ＣＰＵ１０は、以上の処理をプレゼンテーションを終了する操作、すなわち、当該コンテンツの表示を終了する操作が行なわれるまで繰り返す。そして、当該コンテンツの表示を終了する操作を受け付けると（ステップＳ１１７でＹＥＳ）、ＣＰＵ１０は一連の動作を終了する。
【００６４】
＜実施の形態の効果＞
本システムで以上の動作が行なわれることで、端末装置１００は、表示資料であるコンテンツに対するユーザーからの入力情報を、該コンテンツの最適な箇所に関連付けることができる。そのため、プレゼンター端末装置１００Ａの表示を見ているプレゼンターであるユーザーは、プレゼンテーション用の資料であるコンテンツ中に、当該コンテンツに対してレビュワーであるユーザーが入力した質問等のテキスト情報の関連箇所として指定した箇所よりもより関連した箇所があるか否かを容易に識別することができる。これにより、プレゼンターであるユーザーは当該質問を効果的に説明することができる。したがって、本システムは効果的なプレゼンテーションの実現を支援することができる。
【００６５】
＜他の例＞
以上の例では、端末装置自身がディスプレイを有して、自身のディスプレイに表示するものとしているが、端末装置はディスプレイを有する表示装置とは別の装置であって、表示装置に接続してその表示を制御するものであってもよい。たとえば、表示装置に接続されたサーバー等の一般的なＰＣやＭＦＰなどの画像形成装置であってもよい。さらに、たとえば、プレゼンター端末装置１００Ａがレビュワー端末装置１００Ｂ，１００Ｃ，１００Ｄの表示を制御可能であったり上記のＰＣなどの装置に複数の表示装置が接続されていてこれら複数の表示装置それぞれ表示制御が可能であったりするように、端末装置が複数の表示装置の表示を制御可能な場合、レビュワーであるユーザーが用いる表示装置のような、プレゼンターであるユーザーが用いる表示装置以外の表示装置に上記の表示を行なってもよい。または、上記の表示を行なう表示装置を所定の操作に従って切り替え可能であってもよい。
【００６６】
さらに、上述の動作を端末装置１００のＣＰＵがその他ＰＣなどに実行させるためのプログラムを提供することもできる。このようなプログラムは、コンピューターに付属するフレキシブルディスク、ＣＤ−ＲＯＭ（Compact  Disk-Read  Only  Memory）、ＲＯＭ、ＲＡＭおよびメモリカードなどのコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【００６７】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６９】
提供されるプログラム製品は、ハードディスクなどのプログラム格納部にインストールされて実行される。なお、プログラム製品は、プログラム自体と、プログラムが記録された記録媒体とを含む。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
１０  ＣＰＵ、１１  ＲＯＭ、１２  ＲＡＭ、１３  ＨＤＤ、１４  タッチパネル、１５  通信インターフェース、４１  表示領域、４２，４３，４４  マーク、１００  端末装置、１００Ａ  プレゼンター端末装置、１００Ｂ，１００Ｃ，１００Ｄ  レビュワー端末装置、１０１  第１表示処理部、１０２  入力部、１０３  第２表示処理部、１０４  検索部、１０５  比較部、１０６  マーク特定部、１０７  検出部、１３１  コンテンツ記憶部、１３２  ステータス記憶部。
【図１】
2015141497.tif 000003
【図２】
2015141497.tif 000004
【図３】
2015141497.tif 000005
【図４】
2015141497.tif 000006
【図５】
2015141497.tif 000007
【図６】
2015141497.tif 000008
【図７】
2015141497.tif 000009